(57)【要約】  【課題】  少ない台数の、小型の撮像装置によって、撮像領域を正確に撮像することができる撮像装置システムを提供する。  【解決手段】  ２つの異なる撮像領域をそれぞれ撮像する第１撮像素子１および第２撮像素子２ならびに第１および第２撮像素子１，２の両方の撮像領域を撮像する第３撮像素子３を有する１つの撮像装置４と、第１〜第３撮像素子１〜３で得られた画像を表示する１つの受像装置とを有する撮像装置システムであって、受像装置は、第１〜第３撮像素子１〜３で得られた３つの画像のうちの任意の１つの画像を選択して表示するか、または第１〜第３撮像素子１〜３で得られた３つの画像のうちの任意の２つ以上の画像を選択して同時に表示する撮像装置システムである。撮像装置４の設置スペースを減少させ、設置のコストを低減させて撮像領域う正確に撮像することができる撮像装置システムを提供することができる。【選択図】  図１
2011114602.tif 000002
【特許請求の範囲】
【請求項１】
２つの異なる撮像領域をそれぞれ撮像する第１撮像素子および第２撮像素子ならびに前記第１および第２撮像素子の両方の撮像領域を撮像する第３撮像素子を有する１つの撮像装置と、前記第１〜第３撮像素子で得られた画像を表示する１つの受像装置とを有する撮像装置システムであって、前記受像装置は、前記第１〜第３撮像素子で得られた３つの画像のうちの任意の１つの画像を選択して表示するか、または前記第１〜第３撮像素子で得られた３つの画像のうちの任意の２つ以上の画像を選択して同時に表示することを特徴とする撮像装置システム。
【請求項２】
２つの異なる撮像領域をそれぞれ撮像する第１撮像素子および第２撮像素子ならびに前記第１および第２撮像素子の両方の撮像領域を撮像する第３撮像素子を有する１つの撮像装置と、前記第１〜第３撮像素子で得られた画像を表示する２つの受像装置とを有する撮像装置システムであって、２つの前記受像装置のそれぞれは、前記第１〜第３撮像素子で得られた３つの画像のうちの任意の１つの画像を選択して表示するか、または前記第１〜第３撮像素子で得られた３つの画像のうちの任意の２つ以上の画像を選択して同時に表示することを特徴とする撮像装置システム。
【請求項３】
前記１つの撮像装置に替えて、前記第１〜第３撮像素子のうちの１つを有する第１撮像装置と、他の２つを有する第２撮像装置とを有することを特徴とする請求項１または請求項２に記載の撮像装置システム。
【請求項４】
前記１つの撮像装置に替えて、前記第１〜第３撮像素子のうちのそれぞれ１つを有する第１〜第３撮像装置を有することを特徴とする請求項１または請求項２に記載の撮像装置システム。
【請求項５】
前記第１〜第３撮像素子は、遊技機を操作している遊技者の操作状況をそれぞれ撮像することを特徴とする請求項１〜請求項４のいずれかに記載の撮像装置システム。
【請求項６】
２つの異なる撮像領域をそれぞれ撮像する第１撮像素子および第２撮像素子を有する１つの撮像装置と、前記第１および第２撮像素子で得られた画像を表示する１つの受像装置とを有する撮像装置システムであって、前記受像装置は、前記第１および第２撮像素子で得られた２つの画像のうちの任意の１つの画像を選択して表示するか、または前記第１および第２撮像素子で得られた２つの画像を同時に表示することを特徴とする撮像装置システム。
【請求項７】
第１の撮像領域を撮像する第１撮像素子ならびに前記第１の撮像領域および該第１の撮像領域に隣接する第２の撮像領域を撮像する第２撮像素子を有する１つの撮像装置と、前記第１および第２撮像素子で得られた画像を表示する１つの受像装置とを有する撮像装置システムであって、前記受像装置は、前記第１および第２撮像素子で得られた２つの画像のうちの任意の１つの画像を選択して表示するか、または前記第１および第２撮像素子で得られた２つの画像を同時に表示することを特徴とする撮像装置システム。
【請求項８】
前記１つの撮像装置に替えて、前記第１または第２撮像素子のそれぞれ１つを有する第１および第２撮像装置を有することを特徴とする請求項６または請求項７に記載の撮像装置システム。
【請求項９】
前記第１および第２撮像素子は、遊技機を操作している遊技者の操作状況をそれぞれ撮像することを特徴とする請求項６〜請求項８のいずれかに記載の撮像装置システム。
【発明の詳細な説明】
【技術分野】
【０００１】
本発明は、複数の撮像素子を有する複数の撮像装置によって撮影された各撮像領域の画像を受像装置で選択的に表示して、監視の用途に効果的に供することができる撮像装置システムに関する。
【背景技術】
【０００２】
従来から、銀行，スーパーマーケット，コンビニエンスストアまたはパチンコホール等の各種店舗において種々のセキュリティシステムが導入されており、撮像装置システムによる監視に対する需要は増大している。
【０００３】
特に、パチンコホールにおいて、撮像装置システムの重要性が高まってきている。このパチンコホールにおける遊技機としては、例えば以下のものがある。
【０００４】
まず、遊技玉等の遊技媒体を発射装置によって遊技領域に発射し、遊技領域に設けられている入賞口等の入賞領域に遊技媒体が入ると、所定数の景品遊技媒体が遊技者に払い出されるパチンコ機である。
【０００５】
また、遊技媒体としての遊技メダルを投入したことに基づく遊技可能状態で、外周部に複数種類の図柄が描かれた複数のリールを回転させて、停止時のリールの表示態様に応じて所定数の景品遊技媒体が払い出されるスロットマシン等がある。
【０００６】
これらの遊技機において、磁石を用いて遊技玉を所定の入賞口へ誘導して入賞率を高める不正行為や、強力な電磁波を遊技機の制御を行なうメイン基板に対して出力して誤動作させることにより景品遊技媒体の払い出しを行なわせる不正行為等が行なわれることがあった。
【０００７】
従って、上述した遊技機が複数設置されるパチンコホールにおいては、撮像装置システムを設置してこのような不正行為を監視する等の対策がなされている。
【０００８】
このような撮像装置システムとしては、例えば対向配置された少なくとも第１および第２の遊技島を有している遊技店の遊技台監視方法であって、第１の遊技島を構成している第１の遊技台のそれぞれに第１の撮像装置を取り付け、第２の遊技島を構成している第２の遊技台のそれぞれに第２の撮像装置を取り付けて、第１の撮像装置によって第１の遊技台に対峙している第２の遊技台を監視し、第２の撮像装置によって第２の遊技台に対峙している第１の遊技台を監視するシステムがある（例えば、特許文献１を参照。）。
【０００９】
特許文献１に開示された撮像装置システムによれば、遊技店において一般に遊技島が平行に配列されている点に着目し、かかる配置を利用して、お互いに対峙している一方の遊技島の遊技台に設置した撮像装置によって、他方の遊技島における対峙している遊技台の前面部分の映像を取得するようにしているので、異常や不正行為をモニター画面上において直ちに認識可能な遊技台映像を得ることができるというものである。
【先行技術文献】
【特許文献】
【００１０】
【特許文献１】特開2005−52388号公報
【特許文献２】特開2006−95159号公報
【発明の概要】
【発明が解決しようとする課題】
【００１１】
しかしながら、特許文献１に開示された撮像装置システムにおいては、遊技台に対応した台数の撮像装置を設置しなければならないため、撮像装置の設置スペースが増大し、また、設置にコストがかかってしまうという問題点があった。
【００１２】
そこで、この問題点を解決するために、複数の撮影手段と、機器状態検出手段と、第１の撮影条件設定手段と、第２の撮影条件設定手段と、撮影制御手段と、トリミング領域設定手段と、拡大処理手段と、画像処理手段と、表示手段とを備えたことを特徴とする撮像装置システムが提案されている（例えば、特許文献２を参照。）。
【００１３】
このような構成によれば、機器状態検出手段により異常状態検出信号が出力された異常状態時に当該異常状態信号に対応する遊技機付近を撮影するとともに、当該撮影範囲のうち特定領域の画像を拡大処理して表示手段の画面領域に表示するため、不正行為を行なった可能性がある人物画像および不正行為の様子を拡大して表示でき、不正行為を行なった可能性がある人物を正確に特定できるとともに、不正行為の様子を正確に捉えることができるというものである。なお、撮影手段となる撮像装置は、例えば１台の撮像装置で10台の遊技機が撮影可能な位置に配置されるものであることが開示されていることから、設置スペースを減少させ、また、設置のコストを低減させることができるというものである。
【００１４】
しかしながら、特許文献２に提案された撮像装置システムにおいては、撮影している遊戯者同士が重なってしまうため、撮像装置から離れた場所にいる遊戯者は正確に撮像することができないという問題点があった。
【００１５】
また、特許文献２に提案された撮像装置システムの撮像装置は、遊戯者の手元を拡大して撮像するために、トリミング領域設定手段および拡大処理手段等を有している。
【００１６】
しかしながら、これらの手段を有しているために、撮像装置システムが複雑化しやすく、また、撮像装置に画像の倍率を変える機能等を取り付けなければならないため、撮像装置が大型化しやすいという問題点があった。
【００１７】
本発明は、上記のような従来の技術における課題に鑑みてなされたものであり、その目的は、少ない台数の小型の撮像装置によって、撮像領域を正確に撮像することができる撮像装置システムを提供することにある。
【課題を解決するための手段】
【００１８】
本発明の撮像装置システムは、２つの異なる撮像領域をそれぞれ撮像する第１撮像素子および第２撮像素子ならびに前記第１および第２撮像素子の両方の撮像領域を撮像する第３撮像素子を有する１つの撮像装置と、前記第１〜第３撮像素子で得られた画像を表示する１つの受像装置とを有する撮像装置システムであって、前記受像装置は、前記第１〜第３撮像素子で得られた３つの画像のうちの任意の１つの画像を選択して表示するか、または前記第１〜第３撮像素子で得られた３つの画像のうちの任意の２つ以上の画像を選択して同時に表示することを特徴とするものである。
【００１９】
本発明の撮像装置システムは、２つの異なる撮像領域をそれぞれ撮像する第１撮像素子および第２撮像素子ならびに前記第１および第２撮像素子の両方の撮像領域を撮像する第３撮像素子を有する１つの撮像装置と、前記第１〜第３撮像素子で得られた画像を表示する２つの受像装置とを有する撮像装置システムであって、２つの前記受像装置のそれぞれは、前記第１〜第３撮像素子で得られた３つの画像のうちの任意の１つの画像を選択して表示するか、または前記第１〜第３撮像素子で得られた３つの画像のうちの任意の２つ以上の画像を選択して同時に表示することを特徴とするものである。
【００２０】
また、本発明の撮像装置システムは、上記構成において、前記１つの撮像装置に替えて、前記第１〜第３撮像素子のうちの１つを有する第１撮像装置と、他の２つを有する第２撮像装置とを有することを特徴とするものである。
【００２１】
また、本発明の撮像装置システムは、上記構成において、前記１つの撮像装置に替えて、前記第１〜第３撮像素子のうちのそれぞれ１つを有する第１〜第３撮像装置を有することを特徴とするものである。
【００２２】
また、本発明の撮像装置システムは、上記構成において、前記第１〜第３撮像素子は、遊技機を操作している遊技者の操作状況をそれぞれ撮像することを特徴とするものである。
【００２３】
本発明の撮像装置システムは、２つの異なる撮像領域をそれぞれ撮像する第１撮像素子および第２撮像素子を有する１つの撮像装置と、前記第１および第２撮像素子で得られた画像を表示する１つの受像装置とを有する撮像装置システムであって、前記受像装置は、前記第１および第２撮像素子で得られた２つの画像のうちの任意の１つの画像を選択して表示するか、または前記第１および第２撮像素子で得られた２つの画像を同時に表示することを特徴とするものである。
【００２４】
本発明の撮像装置システムは、第１の撮像領域を撮像する第１撮像素子ならびに前記第１の撮像領域および該第１の撮像領域に隣接する第２の撮像領域を撮像する第２撮像素子を有する１つの撮像装置と、前記第１および第２撮像素子で得られた画像を表示する１つの受像装置とを有する撮像装置システムであって、前記受像装置は、前記第１および第２撮像素子で得られた２つの画像のうちの任意の１つの画像を選択して表示するか、または前記第１および第２撮像素子で得られた２つの画像を同時に表示することを特徴とするものである。
【００２５】
また、本発明の撮像装置システムは、上記構成において、前記１つの撮像装置に替えて、前記第１または第２撮像素子のそれぞれ１つを有する第１および第２撮像装置を有することを特徴とするものである。
【００２６】
また、本発明の撮像装置システムは、上記構成において、前記第１および第２撮像素子は、遊技機を操作している遊技者の操作状況をそれぞれ撮像することを特徴とするものである。
【発明の効果】
【００２７】
本発明の撮像装置システムによれば、２つの異なる撮像領域をそれぞれ撮像する第１撮像素子および第２撮像素子ならびに第１および第２撮像素子の両方の撮像領域を撮像する第３撮像素子を有する１つの撮像装置と、第１〜第３撮像素子で得られた画像を表示する１つの受像装置とを有する撮像装置システムであって、受像装置は、第１〜第３撮像素子で得られた３つの画像のうちの任意の１つの画像を選択して表示するか、または第１〜第３撮像素子で得られた３つの画像のうちの任意の２つ以上の画像を選択して同時に表示することから、１つの撮像装置の３つの撮像素子によって２つの異なる撮像領域を撮像することができる。従って、１つの撮像領域について１つの撮像装置を設置する場合と比較して、１つの撮像装置によって２つの撮像領域を撮像できるので、撮像装置の数を少なくすることができる。従って、撮像装置の設置スペースを減少させ、また、撮像装置の設置のコストを低減させることができる。
【００２８】
また、本発明の撮像装置システムによれば、第３撮像素子による撮像領域は、第１撮像素子による撮像領域と第２撮像素子による撮像領域とを含む広いものとすることができるので、第１撮像素子および第２撮像素子による画像は第３撮像素子による画像の一部となり、第１撮像素子および第２撮像素子によって得られる画像は第３撮像素子の撮像対象の一部を拡大したものとなるので、撮像装置にズーム機能を設けることなく、第１撮像素子および第２撮像素子による画像と第３撮像素子による画像とを切り替えるだけで、撮像対象の拡大画像およびその周辺の広範な画像の両方を得ることができる。その結果、撮像装置を小型化することができ、また、撮像装置システムの複雑化を抑制することができる。
【００２９】
本発明の撮像装置システムによれば、２つの異なる撮像領域をそれぞれ撮像する第１撮像素子および第２撮像素子ならびに第１撮像素子および第２撮像素子の両方の撮像領域を撮像する第３撮像素子を有する１つの撮像装置と、第１〜第３撮像素子で得られた画像を表示する２つの受像装置とを有する撮像装置システムであって、２つの受像装置のそれぞれは、第１〜第３撮像素子で得られた３つの画像のうちの任意の１つの画像を選択して表示するか、または第１〜第３撮像素子で得られた３つの画像のうちの任意の２つ以上の画像を選択して同時に表示することから、２つの受像装置があるので、一方の受像装置においては第１撮像素子および第３撮像素子によって得られた２つの画像を、また、他方の受像装置においては第２撮像素子および第３撮像素子によって得られた２つの画像を表示できるため、２つの撮像領域のそれぞれを２つの撮像素子によって撮像して同時に表示することができる。従って、２つの撮像領域を、同時に詳細に監視することができる。
【００３０】
また、本発明の撮像装置システムによれば、１つの撮像装置の３つの撮像素子によって２つの異なる撮像領域を撮像することができる。従って、１つの撮像領域について１つの撮像装置を設置する場合と比較して、１つの撮像装置によって２つの撮像領域を撮像できるので、撮像装置の数を少なくすることができる。従って、撮像装置の設置スペースを減少させ、また、撮像装置の設置のコストを低減させることができる。
【００３１】
また、本発明の撮像装置システムによれば、第３撮像素子による撮像領域は、第１撮像素子による撮像領域と第２撮像素子による撮像領域とを含む広いものとすることができるので、第１撮像素子および第２撮像素子による画像は第３撮像素子による画像の一部となり、第１撮像素子および第２撮像素子によって得られる画像は第３撮像素子の撮像対象の一部を拡大したものとなるので、撮像装置にズーム機能を設けることなく、第１撮像素子および第２撮像素子による画像と第３撮像素子による画像とを切り替えるだけで、撮像対象の拡大画像およびその周辺の広範な画像の両方を得ることができる。その結果、撮像装置を小型化することができ、また、撮像装置システムの複雑化を抑制することができる。
【００３２】
また、本発明の撮像装置システムによれば、１つの撮像装置に替えて、第１〜第３撮像素子のうちの１つを有する第１撮像装置と、他の２つを有する第２撮像装置とを有するときには、第１撮像装置と第２撮像装置とは互いに自由に配置できるため、１つの撮像装置が３つの第１〜第３撮像素子の全てを有している場合と比較して、各撮像素子の撮像領域を撮像の対象としたい領域に容易に調節することができる。
【００３３】
また、本発明の撮像装置システムによれば、１つの撮像装置に替えて、第１〜第３撮像素子のうちのそれぞれ１つを有する第１〜第３撮像装置を有するときには、第１〜第３撮像装置は互いに自由に配置できるため、１つの撮像装置が３つの第１〜第３撮像素子の全てを有している場合と比較して、各撮像素子の撮像領域を撮像の対象としたい領域に容易に調節することができる。
【００３４】
また、本発明の撮像装置システムによれば、第１〜第３撮像素子は、遊技機を操作している遊技者の操作状況をそれぞれ撮像するときには、例えば、一方の遊技機を第１撮像素子によって撮像し、他方の遊技機を第２撮像素子によって撮像し、一方および他方の遊技機を第３撮像素子によって撮像することができる。これによって、各遊技機を２つの撮像素子による画像で監視することができる。従って、１つの撮像装置の１つの撮像素子によって複数の遊技機を監視する場合と比較して、遊技機を操作している遊戯者同士が撮像した画像上で重なることが防げる。
【００３５】
本発明の撮像装置システムによれば、２つの異なる撮像領域をそれぞれ撮像する第１撮像素子および第２撮像素子を有する１つの撮像装置と、第１および第２撮像素子で得られた画像を表示する１つの受像装置とを有する撮像装置システムであって、受像装置は、第１および第２撮像素子で得られた２つの画像のうちの任意の１つの画像を選択して表示するか、または第１および第２撮像素子で得られた２つの画像を同時に表示することから、１つの撮像装置の２つの撮像素子によって２つの異なる撮像領域を撮像することができる。従って、１つの撮像領域について１つの撮像装置を設置する場合と比較して、撮像装置の数を少なくすることができる。従って、撮像装置の設置スペースを減少させ、また、撮像装置の設置のコストを低減させることができる。
【００３６】
本発明の撮像装置システムによれば、第１の撮像領域を撮像する第１撮像素子ならびに第１の撮像領域および第１の撮像領域に隣接する第２の撮像領域を撮像する第２撮像素子を有する１つの撮像装置と、第１および第２撮像素子で得られた画像を表示する１つの受像装置とを有する撮像装置システムであって、受像装置は、第１および第２撮像素子で得られた２つの画像のうちの任意の１つの画像を選択して表示するか、または第１および第２撮像素子で得られた２つの画像を同時に表示することから、１つの撮像装置の２つの撮像素子によって２つの異なる撮像領域を撮像することができる。従って、１つの撮像領域について１つの撮像装置を設置する場合と比較して、１つの撮像装置によって２つの撮像領域（第１および第２の撮像領域）を撮像できるので、撮像装置の数を少なくすることができる。従って、撮像装置の設置スペースを減少させ、また、撮像装置の設置のコストを低減させることができる。
【００３７】
また、本発明の撮像装置システムによれば、第２撮像素子による撮像領域は、第１撮像素子による第１の撮像領域とそれに隣接する第２の撮像領域とを含む広いものとすることができるので、第１撮像素子による画像は第２撮像素子による画像の一部となり、第１撮像素子によって得られる画像は第２の撮像素子の撮像対象の一部を拡大したものとなるので、撮像装置にズーム機能を設けることなく、第１撮像素子による画像と第２の撮像素子による画像とを切り替えるだけで、撮像対象の拡大画像およびその周辺の広範な画像の両方を得ることができる。その結果、撮像装置を小型化することができ、また、撮像装置システムの複雑化を抑制することができる。
【００３８】
また、本発明の撮像装置システムによれば、１つの撮像装置に替えて、第１または第２撮像素子のそれぞれ１つを有する第１および第２撮像装置を有するときには、第１撮像装置と第２撮像装置とは互いに自由に配置できるため、１つの撮像装置が２つの撮像素子を有している場合と比較して、各撮像素子の撮像領域を撮像の対象としたい領域に容易に調節することができる。
【００３９】
また、本発明の撮像装置システムによれば、第１撮像素子および第２撮像素子は、遊技機を操作している遊技者の操作状況をそれぞれ撮像するときには、例えば、一方の遊技機を第１撮像素子によって撮像し、他方の遊技機を第２撮像素子によって撮像することができる。これによって、各遊技機をそれぞれの撮像素子による画像で監視することができる。従って、１つの撮像装置の１つの撮像素子によって複数の遊技機を監視する場合と比較して、遊技機を操作している遊戯者同士が撮像した画像上で重なることが防げる。
【００４０】
よって、本発明によれば、少ない台数の小型の撮像装置によって、撮像領域を正確に撮像することができる撮像装置システムを提供することができる。
【図面の簡単な説明】
【００４１】
【図１】本発明の撮像装置システムにおける撮像装置の実施の形態の一例を示す、撮像装置を上方から見た平面図である。
【図２】（ａ）は、図１に示す撮像装置を上方から見た平面図であり、（ｂ）は、撮像装置を正面から見た平面図である。
【図３】図２（ｂ）に示す撮像装置のＡ−Ａ線における断面図である。
【図４】図３に示す撮像装置における撮像モジュールの一例を示す断面図である。
【図５】（ａ）は、図２に示す撮像装置の他の例を示す、第１撮像装置および第２撮像装置を上方から見た平面図であり、（ｂ）は、図２に示す撮像装置の他の例を示す、第１撮像装置および第２撮像装置を正面から見た平面図である。
【図６】（ａ）は、図２に示す撮像装置の他の例を示す、第１〜第３撮像装置を上方から見た平面図であり、（ｂ）は、図２に示す撮像装置の他の例を示す、第１〜第３撮像装置を正面から見た平面図である。
【図７】（ａ）は、本発明の撮像装置システムにおける撮像装置の他の例を示す、撮像装置を上方から見た平面図であり、（ｂ）は、撮像装置を正面から見た平面図である。
【図８】（ａ）は、図７に示す撮像装置の他の例を示す、撮像装置を上方から見た平面図であり、（ｂ）は、図７に示す撮像装置の他の例を示す、撮像装置を正面から見た平面図である。
【図９】（ａ）は、図７に示す撮像装置の他の例を示す、第１撮像装置および第２撮像装置を上方から見た平面図であり、（ｂ）は、図７に示す撮像装置の他の例を示す、第１撮像装置および第２撮像装置を正面から見た平面図である。
【図１０】本発明の撮像装置システムが遊戯場内に設置された状態の一例を示す外観図である。
【図１１】図10で示す遊戯場に一列に並べて設置された複数の遊技機、および遊技機の上方に取り付けられた図２に示す撮像装置の外観図である。
【図１２】本発明の撮像装置システムの撮像装置の回路の一例を示すブロック図である。
【発明を実施するための形態】
【００４２】
以下に、本発明の撮像装置システムの実施の形態の例について、図面を参照しつつ詳細に説明する。
【００４３】
図１は、本発明の撮像装置システムにおける撮像装置の実施の形態の一例を示す、撮像装置を上方から見た平面図である。
【００４４】
図２（ａ）は、図１に示す撮像装置４を上方から見た平面図であり、図２（ｂ）は、撮像装置４を正面から見た平面図である。
【００４５】
図３は、図２（ｂ）に示す撮像装置４のＡ−Ａ線における断面図である。
【００４６】
本発明の撮像装置システムは、２つの異なる撮像領域をそれぞれ撮像する第１撮像素子１および第２撮像素子２、ならびに第１撮像素子１および第２撮像素子２の両方の撮像領域を撮像する第３撮像素子３を有する１つの撮像装置４と、第１〜第３撮像素子１〜３で得られた画像を表示する１つの受像装置（図示せず）とを有する撮像装置システムであって、受像装置は、第１〜第３撮像素子１〜３で得られた３つの画像のうちの任意の１つの画像を選択して表示するか、または第１〜第３撮像素子１〜３で得られた３つの画像のうちの任意の２つ以上の画像を選択して同時に表示する。
【００４７】
このような構成の撮像装置システムによれば、１つの撮像装置４の３つの撮像素子１〜３によって２つの異なる撮像領域を撮像することができる。例えば、図１に示す例のように、一方の撮像領域は第１撮像素子１の画角７に対応し、他方の撮像領域は第２撮像素子２の画角８に対応し、一方および他方の撮像領域は第３撮像素子３の画角９に対応するものとすることができる。図１に示す例では、第３撮像素子３による撮像領域は、第１撮像素子１による撮像領域（一方の撮像領域）と第２撮像素子２による撮像領域（他方の撮像領域）を含む広いものとなっている。従って、１つの撮像領域について１つの撮像装置を設置する場合と比較して、１つの撮像装置４によって２つの撮像領域（一方および他方の撮像領域）を撮像できるので、撮像装置の数を少なくすることができる。従って、撮像装置４の設置スペースを減少させ、また、撮像装置４の設置のコストを低減させることができる。
【００４８】
また、一方の撮像領域については２つの撮像素子１，３によって画像が得られ、他方の撮像領域については２つの撮像素子２，３によって画像が得られる。また、第１撮像素子１および第２撮像素子２による画像は第３撮像素子３による画像の一部となり、第１撮像素子１および第２撮像素子２によって得られる画像は第３撮像素子３の撮像対象の一部を拡大したものとなるので、撮像装置４にズーム機能を設けることなく、第１撮像素子１および第２撮像素子２による画像と第３撮像素子３による画像とを切り替えるだけで、撮像対象の拡大画像およびその周辺の広範な画像の両方を得ることができる。その結果、撮像装置４を小型化することができ、また、撮像装置システムの複雑化を抑制することができる。
【００４９】
なお、図１における７は第１撮像素子１の画角を示し、８は第２撮像素子２の画角を示し、９は第３撮像素子３の画角を示しているものであり、画角７は第１撮像素子１の撮像領域に、画角８は第２撮像素子２の撮像領域に、画角９は第３撮像素子３の撮像領域にそれぞれ対応している。
【００５０】
このような撮像装置システムは、例えば、遊技機を操作している遊技者の操作状況を監視する用途に効果的に供することができるものであり、複数の撮像素子１〜３を有する撮像装置４と、撮像装置４で得られた画像を表示する受像装置（図示せず）とを備えているものである。
【００５１】
第１〜第３撮像素子１〜３には、ＣＭＯＳ（Metal Oxide Semiconductor：金属酸化膜半導体）イメージセンサーまたはＣＣＤ（Charge Coupled Device：電荷結合素子）イメージセンサー等が使用される。
【００５２】
なお、第１〜第３撮像素子１〜３には、受光部に被写体光を集光させるレンズユニット（図示せず）が一体的に備えられている。
【００５３】
撮像装置４は、２つの異なる撮像領域をそれぞれ撮像する第１撮像素子１および第２撮像素子２ならびに第１撮像素子１および第２撮像素子２の両方の撮像領域を撮像する第３撮像素子３を有するものである。
【００５４】
以下に、図２〜図４を用いて、撮像装置４の構成の一例について説明する。図４は、図３に示す撮像装置４における撮像モジュール11〜13の一例を示す断面図である。
【００５５】
なお、以下に示す撮像装置４の例においては、本発明の撮像装置システムの撮像装置４が有している各撮像素子１〜３は、レンズユニットとともにモジュール筐体35の内部に組み込まれている。そして、各撮像素子１〜３およびレンズユニット等が組み込まれたモジュール筐体35を、ここでは撮像モジュールという。
【００５６】
また、第１撮像素子１が組み込まれた撮像モジュールを第１撮像モジュール11といい、第２撮像素子２が組み込まれた撮像モジュールを第２撮像モジュール12といい、第３撮像素子３が組み込まれた撮像モジュールを第３撮像モジュール13という。
【００５７】
図２に示す例において、撮像装置４の筐体48には、撮像の対象側の面（以下、第１の面21という）と、第１の面の両側に配置されている、第１の面21に隣接する２つの面（以下、それぞれ第２の面22および第３の面23という）とが存在している。
【００５８】
図３に示す例において、撮像装置４には、各撮像モジュール11〜13と、複数種の部品が実装された回路基板10とが内蔵されている。まず、以下に、各撮像モジュール11〜13について説明する。
【００５９】
図２および図３に示す例において、第３撮像モジュール13は撮像装置４の第１の面21の内壁に取り付けられており、第１撮像モジュール11および第２撮像モジュール12はそれぞれ第２の面22および第３の面23の内壁に取り付けられている。
【００６０】
なお、第１の面21に対して傾けて配置されている第２の面22および第３の面23の第１の面21に対する傾斜45の角度は、10〜45°であることが好ましい。また、第１撮像素子１および第２撮像素子２の画角７，８は30〜60°程度であり、第３撮像素子３の画角９は、第１撮像素子１および第２撮像素子２の画角７，８をカバーする100〜150°程度であることが好ましい。
【００６１】
撮像装置４の第１〜第３の面21〜23の傾斜45と、第１〜第３撮像素子１〜３の画角７〜９とが前述の範囲にある場合には、２つの異なる撮像領域を第１撮像素子１および第２撮像素子２が撮像し、第３撮像素子３がそれら第１撮像素子１および第２撮像素子２の撮像領域を撮像する、という構成を実現するのが容易となる。
【００６２】
なお、撮像装置４における第１の面21と第２の面22および第３の面23との傾斜45の角度は０°（傾斜45がない）であってもよく、その場合の第１〜第３撮像素子１〜３の配置は、第１〜第３撮像素子１〜３が撮像装置４の前面における同一平面に配置されているものであってもよいものである。
【００６３】
また、図４に示すように、各撮像モジュール11〜13は、前述したように、モジュール筐体35に各撮像素子１〜３およびレンズユニット34等が組み込まれて構成されている。
【００６４】
各撮像素子１〜３は、例えば、ウエハプロセスにて作製されたＣＭＯＳイメージセンサーチップを、ＢＴレジンで構成したインターポーザ基板の上面側に実装し、ＣＭＯＳイメージセンサーチップ周辺を黒色のエポキシ樹脂で封止した樹脂封止型のパッケージ構造のものである。
【００６５】
また、このインターポーザ基板の下面側には、センサーチップを駆動するための電源供給用電極パッド、外部との信号の送受信を行なう電極パッド、および画像出力を行なう電極パッド等が形成されている。
【００６６】
また、各撮像素子１〜３の裏側に配置された電極端子は、フラットケーブル27の一端と接続されており、このフラットケーブル27は回路基板10のコネクタと電気的に接続されている。
【００６７】
レンズユニット34は、各撮像モジュール11〜13の所望の画角７〜９によって、位置等が決定される。図４に示す例の撮像モジュール11〜13は、第１レンズ28，第２レンズ29および第３レンズ30からなる３群３枚のレンズユニット34が構成されているが、これ以外の枚数で構成されたレンズユニット34であってもよい。
【００６８】
なお、各撮像素子１〜３の画角７〜９は、レンズユニット34の各レンズ28〜30の形状および、各撮像素子１〜３とレンズユニット34との距離によって設定されるものである。
【００６９】
なお、以上で説明した撮像装置４の例においては、各撮像素子１〜３は、各撮像モジュール11〜13に内蔵されているものであったが、撮像装置４における各撮像素子１〜３の配置は、この例に限られない。
【００７０】
例えば、レンズユニット34と一体化された各撮像素子１〜３が、撮像装置４の筐体48の内壁に取り付けられている構成のものであってもよい。
【００７１】
また、別の例では、撮像装置４の筐体48の第１の面21，第２の面22および第３の面23に設けられた貫通孔にレンズユニット34を予め嵌め込んで固定しておき、それらに対応させて各撮像素子１〜３のみを撮像装置４の筐体48の内壁に取り付ける、という構成であってもよい。
【００７２】
また、第１撮像素子１によってある一方の撮像対象を撮像し、第２撮像素子２によって他方の撮像対象を撮像したいときには、第１〜第３撮像素子１〜３を以下のような構成とすることができる。
【００７３】
例えば、第１および第２撮像素子１，２の両方の撮像対象を第３撮像素子３の撮像領域に含むように第３撮像素子３の画角９を設定し、第１撮像素子１および第２撮像素子２によって得られる画像は、一方および他方の撮像対象の一部を拡大した画像がそれぞれ得られるようにレンズユニット34を設定しておく。
【００７４】
こうしておくことによって、それぞれの撮像対象のうち、特に注目したい箇所が第１撮像素子１および第２撮像素子２によって詳細に撮像できるとともに、それぞれの撮像対象の全体の様子が第３撮像素子３によって撮像できるようになる。
【００７５】
以上の説明においては、撮像装置４が１つの場合について説明したが、図５に示す例のように、撮像装置４は、例えば２つであってもよい。図５（ａ）は、図２に示す撮像装置４の他の例を示す、第１撮像装置31および第２撮像装置32を上方から見た平面図であり、図５（ｂ）は、図２に示す撮像装置４の他の例を示す、第１撮像装置31および第２撮像装置32を正面から見た平面図である。なお、図５における第１〜第３撮像素子51〜53は、図２における第１〜第３撮像素子１〜３と同様のものである。
【００７６】
図５に示す例において、本発明の撮像装置システムは、１つの撮像装置４に替えて、第１〜第３撮像素子51〜53のうち１つ（ここでは第２撮像素子52）を有する第１撮像装置31と、他の２つ（ここでは第１および第３撮像素子51，53）を有する第２撮像装置32とを有する。
【００７７】
この例のような構成とすると、第１撮像装置31と第２撮像装置32とは互いに自由に配置できるため、１つの撮像装置４が３つ全ての第１〜第３撮像素子１〜３を有している場合と比較して、各撮像素子51〜53の撮像領域を撮像の対象としたい領域に容易に調節することができる。
【００７８】
なお、図５に示す例においては、第１撮像装置31が第２撮像素子52を有しており、第２撮像装置32が第１撮像素子51および第３撮像素子53を有しており、第１撮像装置31が、第２撮像装置32に対して第１撮像素子51が取り付けられている側とは反対側に配置されている。
【００７９】
このような構成によれば、第３撮像素子53は、第１撮像素子51および第２撮像素子52の撮像領域を撮像することが容易となるので好ましい。
【００８０】
また、図６に示す例のように、撮像装置４は、例えば３つであってもよい。図６（ａ）は、図２に示す撮像装置４の他の例を示す、第１〜第３撮像装置631〜633を上方から見た平面図であり、図６（ｂ）は、図２に示す撮像装置４の他の例を示す、第１〜第３撮像装置631〜633を正面から見た平面図である。なお、図６における第１〜第３撮像素子61〜63は、図２における第１〜第３撮像素子１〜３と同様のものである。
【００８１】
図６に示す例において、本発明の撮像装置システムは、１つの撮像装置４に替えて、第１〜第３撮像素子61〜63のうちのそれぞれ１つを有する第１〜第３撮像装置631〜633を有する。
【００８２】
この例のような構成とすると、第１〜第３撮像装置631〜633は互いに自由に配置できるため、１つの撮像装置が３つ全ての第１〜第３撮像素子１〜３を有している場合と比較して、各撮像素子61〜63の撮像領域を撮像の対象としたい領域に容易に配置することができる。
【００８３】
なお、図６に示す例においては、第１撮像素子61を有するのが第１撮像装置631であり、第２撮像素子62を有するのが第２撮像装置632であり、第３撮像素子63を有するのが第３撮像装置633である。この例において、３つの撮像装置631〜633の配置の真ん中にあるのが第３撮像装置633であり、両側にあるのが第１撮像装置631および第２撮像装置632である。
【００８４】
このような構成によれば、第３撮像素子63によって第１撮像素子61および第２撮像素子62の撮像領域を撮像することが容易となるので好ましい。
【００８５】
以上の説明においては、撮像素子が３つの場合について説明したが、図７に示す例のように、撮像素子は２つであってもよい。図７（ａ）は、本発明の撮像装置システムにおける撮像装置４の他の例を示す、撮像装置74を上方から見た平面図であり、図７（ｂ）は、撮像装置74を正面から見た平面図である。なお、図７における第１撮像素子71および第２撮像素子72は、図２における第１撮像素子１および第２撮像素子２と同様のものである。
【００８６】
図７に示す例において、本発明の撮像装置システムは、２つの異なる撮像領域をそれぞれ撮像する第１撮像素子71および第２撮像素子72を有する１つの撮像装置74と、第１撮像素子71および第２撮像素子72で得られた画像を表示する１つの受像装置（図示せず）とを有する撮像装置システムであって、受像装置は、第１撮像素子71および第２撮像素子72で得られた２つの画像のうちの任意の１つの画像を選択して表示するか、または第１撮像素子71および第２撮像素子72で得られた２つの画像を同時に表示する。
【００８７】
このような構成の撮像装置システムによれば、１つの撮像装置74の２つの撮像素子71，72によって、２つの異なる撮像領域を撮像することができる。例えば、図７に示す例のように、一方の撮像領域は第１撮像素子71の画角77に対応し、他方の撮像領域は第２撮像素子72の画角78に対応するものとすることができる。従って、１つの撮像領域について１つの撮像装置を設置する場合と比較して、１つの撮像装置74によって２つの別の撮像領域を撮像できるので、撮像装置の数を少なくすることができる。従って、撮像装置74の設置スペースを減少させ、また、撮像装置74の設置のコストを低減させることができる。
【００８８】
なお、各撮像素子71，72の画角77，78は、レンズユニットの各レンズの形状および、各撮像素子71，72とレンズユニットとの距離によって設定されるものである。
【００８９】
また、撮像素子が２つである場合に、それぞれの撮像素子の画角は、図８に示す例のようであってもよい。図８（ａ）は、図７に示す撮像装置74の他の例を示す、撮像装置84を上方から見た平面図であり、図８（ｂ）は、図７に示す撮像装置74の他の例を示す、撮像装置84を正面から見た平面図である。なお、図８における第１撮像素子81および第２撮像素子82は、図２における第１撮像素子１および第２撮像素子２と同様のものである。
【００９０】
図８に示す例において、本発明の撮像装置システムは、第１の撮像領域を撮像する第１撮像素子81ならびに第１の撮像領域および第１の撮像領域に隣接する第２の撮像領域を撮像する第２撮像素子82を有する１つの撮像装置84と、第１撮像素子81および第２撮像素子82で得られた画像を表示する１つの受像装置（図示せず）とを有する撮像装置システムであって、受像装置は、第１撮像素子81および第２撮像素子82で得られた２つの画像のうちの任意の１つの画像を選択して表示するか、または第１撮像素子81および第２撮像素子82で得られた２つの画像を同時に表示する。
【００９１】
このような構成の撮像装置システムによれば、１つの撮像装置84の２つの撮像素子81，82によって２つの異なる撮像領域を撮像することができる。例えば、図８に示す例のように、第１の撮像領域は第１撮像素子81の画角87に対応し、第１の撮像領域および第１の撮像領域に隣接する第２の撮像領域は第２撮像素子82の画角88に対応するものとすることができる。図７に示す例では、第１撮像素子71による撮像領域と第２撮像素子72による撮像領域とは異なるが、図８に示す例では、第２撮像素子82による撮像領域は、第１撮像素子81による第１の撮像領域とそれに隣接する第２の撮像領域を含む広いものとなっている。従って、１つの撮像領域について１つの撮像装置を設置する場合と比較して、１つの撮像装置84によって２つの撮像領域（第１および第２の撮像領域）を撮像できるので、撮像装置の数を少なくすることができる。従って、撮像装置84の設置スペースを減少させ、また、撮像装置84の設置のコストを低減させることができる。
【００９２】
また、第１の撮像領域については２つの撮像素子81，82によって画像が得られ、第１撮像素子81による画像は第２撮像素子82による画像の一部となり、第１撮像素子81によって得られる画像は第２の撮像素子82の撮像対象の一部を拡大したものとなるので、撮像装置84にズーム機能を設けることなく、第１撮像素子81による画像と第２の撮像素子82による画像とを切り替えるだけで、撮像対象の拡大画像およびその周辺の広範な画像の両方を得ることができる。その結果、撮像装置84を小型化することができ、また、撮像装置システムの複雑化を抑制することができる。
【００９３】
なお、各撮像素子81，82の画角87，88は、レンズユニットの各レンズの形状および、各撮像素子81，82とレンズユニットとの距離によって設定されるものである。
【００９４】
また、本発明の撮像装置システムは、図９に示す例のように、撮像素子が２つであり、撮像装置が２つであってもよい。図９（ａ）は、図７に示す撮像装置74の他の例を示す、第１撮像装置931および第２撮像装置932を上方から見た平面図であり、図９（ｂ）は、図７に示す撮像装置74の他の例を示す、第１撮像装置931および第２撮像装置932を正面から見た平面図である。なお、図９における第１撮像素子91および第２撮像素子92は、図２における第１撮像素子１および第２撮像素子２と同様のものである。
【００９５】
図９に示す例において、本発明の撮像装置システムは、１つの撮像装置74に替えて、第１撮像素子91または第２撮像素子92のそれぞれ１つを有する第１撮像装置931および第２撮像装置932を有する。
【００９６】
この例のような構成とすると、第１撮像装置931と第２撮像装置932とは互いに自由に配置できるため、１つの撮像装置が２つの撮像素子を有している場合と比較して、各撮像素子91，92の撮像領域を撮像の対象としたい領域に容易に調節することができる。
【００９７】
なお、以上で説明した撮像装置システムは、図10および図11に示す例のように、遊技場43で好適に使用するができる。図10は、本発明の撮像装置システムが遊戯場内に設置された状態の一例を示す外観図である。また、図11は、図10で示す遊戯場に一列に並べて設置された複数の遊技機、および遊技機の上方に取り付けられた図２に示す撮像装置４の外観図である。
【００９８】
なお、図10において、36はスイッチングハブを示し、37は子機側無線ＬＡＮルータを示し、38は親機側無線ＬＡＮルータを示し、39はデータベースを示し、41は遊技機40が複数並んでいる遊技機群を示している。また、44は管理室を示している。
【００９９】
図10および図11に示す例において、本発明の撮像装置システムは、第１〜第３撮像素子１〜３が、遊技機40を操作している遊技者の操作状況をそれぞれ撮像する。
【０１００】
この例のような構成とすると、例えば、一方の遊技機40を第１撮像素子１によって撮像し、他方の遊技機40を第２撮像素子２によって撮像し、一方および他方の遊技機40を第３撮像素子３によって同時に撮像することができる。これによって、各遊技機40を２つの撮像素子による画像で監視することができることとなる。従って、１つの撮像装置の１つの撮像素子によって複数の遊技機40を監視する場合と比較して、遊技機40を操作している遊戯者同士が撮像した画像上で重なることが防げる。
【０１０１】
つまり、従来は、１つの撮像素子で例えば10台の遊技機40を撮像する場合には、図10で示す例のような遊技場43の壁に沿って並べられた１列の遊技機群41の列と列との間の通路に対応した位置であって、その列に沿った方向を撮像するように遊技機群41から離れた壁等に撮像装置を設置しており、このようにすると、遊技機40の列の奥の方にいる遊戯者については詳細に撮像することができなかった。これは、遊技機群41の列の後方にいる遊戯者は、遊技機群41の列の前方にいる遊戯者の陰に隠れてしまうからである。
【０１０２】
しかし、本発明の撮像装置システムによれば、図11に示す例のように、遊技機40とその遊技機40に隣接する遊技機40との間であって、その上方に撮像装置４を取り付けることによって、遊戯者同士が重なることなく、詳細に遊技機40を操作している遊戯者を撮像して監視することができる。
【０１０３】
なお、図10および図11に示す例においては、撮像素子が３つであり、撮像装置４が１つであるが、撮像素子が２つである場合、あるいは撮像装置４が２つまたは３つである場合も、遊技場に撮像装置システムを適用することができ、同様の効果がある。
【０１０４】
また、この例での撮像装置４は、遊技機に対して100〜300ｍｍ程度の上方に取り付けられる場合に、遊戯者を確実に撮像できるものとするとよい。
【０１０５】
次に、図３に示す例の撮像装置４の内部に配置されている回路基板10について説明する。
【０１０６】
まず、回路基板10は、絶縁基板としてガラス繊維にエポキシ樹脂を含浸させたものを使用したものである。
【０１０７】
この回路基板10の表面には、カメラモジュールコネクタ14，マルチプレクサＩＣ15，ネットワークカメラプロセッサＩＣ16，ネットワーク送受信データ処理ＩＣ17，フラッシュメモリ18，水晶発振器24〜26，電源コネクタ20およびネットワークコネクタ19（ＲＪ−45コネクタ）が実装されている。
【０１０８】
カメラモジュールコネクタ14は、フラットケーブル27によって、各撮像モジュール11〜13と接続されている。
【０１０９】
マルチプレクサＩＣ15は、各撮像モジュール11〜13から出力される画像信号を選択する画像切替回路としての役割を果たす。
【０１１０】
ネットワークカメラプロセッサＩＣ16は、各撮像モジュール11〜13に制御信号を送信する等の撮像装置４全体を制御する役割を果たしている。
【０１１１】
ネットワーク送受信データ処理ＩＣ17は、撮像装置４のネットワーク回線47を介しての外部との通信を制御しているものである。
【０１１２】
フラッシュメモリ18には、各撮像モジュール11〜13に送信するための制御データ等が予め記録されている。
【０１１３】
水晶発振器24は、各撮像モジュール11〜13が出力する画像信号のタイミングを制御している。発振周波数は、例えば、27ＭＨｚである。
【０１１４】
水晶発振器25は、ネットワークカメラプロセッサＩＣ16のタイミングを制御している。発振周波数は、例えば、25ＭＨｚである。
【０１１５】
水晶発振器26は、ネットワーク送受信データ処理ＩＣ17を制御している。発振周波数は、例えば、32.768ｋＨｚである。
【０１１６】
電源コネクタ20は、撮像装置４への電源供給のための接続端子である。
【０１１７】
ネットワークコネクタ19は、外部とのＬＡＮ接続を行なうための接続端子である。
【０１１８】
次に、図12に示したブロック図によって、撮像装置４の回路の動作を説明する。図12は、本発明の撮像装置システム６の撮像装置４の回路の一例を示すブロック図である。なお、図12に示したブロック図においては、第１〜第３撮像素子１〜３と、ネットワークカメラプロセッサＩＣ16と、ネットワーク送受信データ処理ＩＣ17と、フラッシュメモリ18と、マルチプレクサＩＣ15と、水晶発振器24と、タイミング信号発生回路46とから構成される回路を示している。
【０１１９】
まず、撮像装置４に電源が投じられると、ネットワークカメラプロセッサＩＣ16は、フラッシュメモリ18に予め記憶されているデータを取り込む。
【０１２０】
次に、この取り込まれたデータのうち、各撮像素子１〜３のレジスタをセットするためのデータを、ネットワークカメラプロセッサＩＣ16が第１〜第３撮像素子１〜３にデータ信号として送信する。
【０１２１】
第１〜第３撮像素子１〜３は、データ信号を受信し、この信号に応じてレジスタをセットする。
【０１２２】
次に、撮像装置４に電源が投じられた後に、水晶発振器24が立ち上がり、所定の発振周波数を出力する。
【０１２３】
なお、この発振周波数を所定の整数で割った値が、第１〜第３撮像素子１〜３から出力される画像信号の垂直同期周波数および水平同期周波数である。発振周波数をいくらの値の整数で割るかは、レジスタがセットされる際に設定されている。
【０１２４】
次に、前述したように、水晶発振器24による発振周波数が第１〜第３撮像素子１〜３に入力され、その発振周波数によって定められた周期で、第１〜第３撮像素子１〜３は画像信号を出力する。
【０１２５】
なお、第１〜第３撮像素子１〜３によって出力される画像信号の規格は、例えばＶＧＡ（640×480画素）であり、これらの画像信号は、プログレッシブ信号であり、８ビットパラレルデータとして出力されるものである。また、これらの画像信号は、ＵＹＶＹ形式で出力される。
【０１２６】
また、第１〜第３撮像素子１〜３には、タイミング信号発生回路46にて生成される同期信号を同時に入力することで、それぞれの第１〜第３撮像素子１〜３からの画像信号の出力のタイミングを同期させることができる。
【０１２７】
次に、第１〜第３撮像素子１〜３からそれぞれ出力される画像信号はマルチプレクサＩＣ15に入力される。
【０１２８】
次に、マルチプレクサＩＣ15は、ネットワークカメラプロセッサＩＣ16から入力されたセンサー切換制御信号によって、第１〜第３撮像素子１〜３からそれぞれ出力された画像信号を選択する。
【０１２９】
なお、マルチプレクサＩＣ15による画像信号の切り換え制御は、送受信回路によって受信したセンサー切換制御信号の命令に従ってなされる。
【０１３０】
受像装置（図示せず）は、第１〜第３撮像素子１〜３で得られた画像を表示するものであり、第１〜第３撮像素子１〜３で得られた３つの画像のうちの任意の１つの画像を選択して表示するか、または第１〜第３撮像素子１〜３で得られた３つの画像のうちの任意の２つ以上の画像を選択して同時に表示するものである。
【０１３１】
ここで、第１〜第３撮像素子１〜３で得られた３つの画像のうちの任意の１つの画像を選択して表示するということは、つまり、第１〜第３撮像素子１〜３のいずれか１つで撮像された画像を選択して受像装置に表示する、ということである。
【０１３２】
また、第１〜第３撮像素子１〜３で得られた３つの画像のうちの任意の２つ以上の画像を選択して同時に表示するということは、つまり、第１撮像素子１および第２撮像素子２で得られた２つの画像を同時に表示するか，第２撮像素子２および第３撮像素子３で得られた２つの画像を同時に表示するか，第１撮像素子１および第３撮像素子３で得られた２つの画像を同時に表示するか，第１〜３撮像素子１〜３で得られた３つの画像を同時に表示するか、を選択するということである。
【０１３３】
以上の説明においては、受像装置が１つの場合について説明したが、受像装置は２つであってもよい。
【０１３４】
２つの受像装置を有する本発明の撮像装置システムは、２つの異なる撮像領域をそれぞれ撮像する第１撮像素子１および第２撮像素子２ならびに第１撮像素子１および第２撮像素子２の両方の撮像領域を撮像する第３撮像素子３を有する１つの撮像装置４と、第１〜第３撮像素子１〜３で得られた画像を表示する２つの受像装置（図示せず）とを有する撮像装置システムであって、２つの受像装置のそれぞれは、第１〜第３撮像素子１〜３で得られた３つの画像のうちの任意の１つの画像を選択して表示するか、または第１〜第３撮像素子１〜３で得られた３つの画像のうちの任意の２つ以上の画像を選択して同時に表示する。
【０１３５】
このような構成の撮像装置システムによれば、２つの受像装置があるので、一方の受像装置においては第１撮像素子１および第３撮像素子３によって得られた２つの画像を、また、他方の受像装置においては第２撮像素子２および第３撮像素子３によって得られた２つの画像を表示できるため、２つの撮像領域のそれぞれを２つの撮像素子によって撮像して同時に表示することができる。従って、２つの撮像領域を、同時に詳細に監視することができる。
【０１３６】
なお、第１撮像素子１および第２撮像素子２がそれぞれ撮像する撮像領域は、第３撮像素子３によっても撮像されている。よって、第１撮像素子１および第２撮像素子２による画像は第３撮像素子３による画像の一部となり、第１撮像素子１および第２撮像素子２によって得られる画像は第３撮像素子３の撮像対象の一部を拡大したものとなる。従って、同時に２つの撮像領域を、撮像対象の拡大画像およびその周辺の広範な画像の両方を得ることによって、詳細な監視を行なうことができる。
【０１３７】
また、本発明の撮像装置システムによれば、１つの撮像装置４の３つの撮像素子１〜３によって２つの異なる撮像領域を撮像することができる。従って、１つの撮像領域について１つの撮像装置を設置する場合と比較して、１つの撮像装置４によって２つの撮像領域を撮像できるので、撮像装置の数を少なくすることができる。従って、撮像装置４の設置スペースを減少させ、また、撮像装置４の設置のコストを低減させることができる。
【０１３８】
また、本発明の撮像装置システムによれば、第３撮像素子３による撮像領域は、第１撮像素子１による撮像領域と第２撮像素子２による撮像領域とを含む広いものとすることができるので、第１撮像素子１および第２撮像素子２による画像は第３撮像素子３による画像の一部となり、第１撮像素子１および第２撮像素子２によって得られる画像は第３撮像素子３の撮像対象の一部を拡大したものとなるので、撮像装置４にズーム機能を設けることなく、第１撮像素子１および第２撮像素子２による画像と第３撮像素子３による画像とを切り替えるだけで、撮像対象の拡大画像およびその周辺の広範な画像の両方を得ることができる。その結果、撮像装置４を小型化することができ、また、撮像装置システムの複雑化を抑制することができる。
【０１３９】
なお、受像装置は、撮像装置４を制御するためのコンピュータソフトウエアおよびデータサーバ等で構成される画像制御手段と、ＣＲＴ（Cathode Ray Tube：陰極線管），テレビモニターまたは液晶ディスプレイ等の画像表示手段とで構成される。
【０１４０】
また、画像を保存したり録画したりするためのＨＤＤ（Hard Disk Drive：ハードディスク装置），光磁気ディスクまたはビデオレコーダ等の画像保存手段を備えていることが好ましい。
【０１４１】
なお、撮像装置４と受像装置とは、コンピュータ間の通信として一般的に用いられるイーサネット（登録商標）等で構築されたＬＡＮ（ローカルエリアネットワーク）に接続することにより、複数の撮像装置４を１つの受像装置で制御して表示することができるとともに、任意の撮像装置４の任意の撮像素子の画像を、受像装置に瞬時に配信して表示することが容易になる。
【０１４２】
［実施例］
本発明の撮像装置システムの実施例を以下に説明する。なお、本実施例においては、図２に示した撮像装置４を用いて、図10および図11に示す例の撮像装置システムを作製した。
【０１４３】
まず、40台の遊戯機40に対して20台の撮像装置４を設置した。つまり、撮像装置１台で２台の遊戯機40を撮像するものとした。
【０１４４】
なお、撮像装置４は、遊戯機40の上部に設置し、ＬＡＮケーブルによって天井近傍に設置したスイッチングハブ36に接続した。また、スイッチングハブ36は子機側無線ＬＡＮルータ37にＬＡＮケーブルによって接続した。
【０１４５】
また、親機側無線ＬＡＮルータ38を管理室44に設置して、子機側無線ＬＡＮルータ37と通信できるようにした。
【０１４６】
また、データサーバ39は、管理室44に設置し、親機側無線ＬＡＮルータ38とＬＡＮケーブルによって接続した。
【０１４７】
なお、データサーバ39には、撮像装置４を制御して画像を表示させるカメラ端末制御表示ソフトウエアを搭載したものを使用した。
【０１４８】
なお、親機側無線ＬＡＮルータ38と子機側無線ＬＡＮルータ37との通信においては、無線ＬＡＮによってＷＰＡ２−ＰＳＫ方式にて暗号化通信を行なうこととした。
【０１４９】
それぞれの撮像装置４には、所定のネットワークアドレス（ＩＰアドレス）を付与することで、データサーバ39から任意に制御するものとした。
【０１５０】
以上のようにして、撮像装置システムを構築した。
【０１５１】
管理室44では、前述したデータサーバ39から、無線ＬＡＮでの通信を行ないながら各々の撮像装置４の動作を独立して制御した。図示はしていないが、受像装置としての画像表示用の液晶モニターには、３分割した映像画面のそれぞれに第１〜第３撮像素子１〜３によって得られた３つの画像を同時に表示した。また、２秒毎に順次、画像を表示させる撮像装置４を切り替えた。
【０１５２】
また、データサーバ39には、内部に画像保存用のＨＤＤを搭載し、画像をＪＰＥＧデータとして保存するようにした。データサーバ39では、監視員が受像装置に表示された画像を確認するとともに、何か異常があった場合には特定の撮像装置４のみを長時間監視できるよう待機するものとした。
【０１５３】
なお、図２に示した撮像装置４の、第１の面21と第２の面22および第３の面23との傾斜45の角度は45°として、第３撮像素子３を第１の面21に取り付け、第１撮像素子１および第２撮像素子２をそれぞれ第２の面22および第３の面23に取り付けた。また、第３撮像素子３の画角９は135°とし、第１撮像素子１および第２撮像素子２の画角７，８はそれぞれ60°とした。
【０１５４】
また、撮像装置４は、遊技機40とその遊技機40に隣接する遊技機40との間の200ｍｍ上方に取り付けた。
【０１５５】
また、第１撮像素子１および第２撮像素子２は、それぞれレンズユニット34と一体化されているものであり、遊戯者の手元の拡大画像が得られるように、レンズユニット34との間隔等を設定した。なお、第３撮像素子３は、遊技機40とその遊技機40に隣接する遊技機40との両方を操作する遊戯者を撮像できるように画角９を設定した。
【０１５６】
次に、比較例として、１つの撮像素子を有する１台の撮像装置を含む撮像装置システムを構築した。この比較例の撮像装置システムの撮像装置は、10台の遊技機を撮像するものとした。つまり、図10で示す例のような、遊技場の壁に沿って並べられた１列の遊技機の列と列との間の通路に合わせて、その列に沿った方向を撮像できるように、図10中に42で示す位置の壁に撮像装置を設置した。
【０１５７】
そして、実施例および比較例の撮像装置システムを使用して、開店時間（午前10時）から閉店時間（午後11時）まで、遊技場の監視を行なった。
【０１５８】
その結果、実施例の撮像装置システムの受像装置に表示された画像に、不正な行為を行なっている遊戯者が映し出された。また、第１撮像素子１で撮像した拡大画像にはその遊戯者の手元も明確に映っていたので、その画像を状況証拠として、遊戯者にその行為を行なったことを確認することに成功した。しかしながら、比較例の撮像装置システムの受像装置に表示された画像では、不審な行動をしている遊戯者の姿は映っていたが、画像の手前に映っている遊戯者の陰に隠れてしまい、手元までは明確に確認できなかった。
【０１５９】
この結果から、本発明の撮像装置システムによれば、遊技機40とその遊技機40に隣接する遊技機40との間であって、その上方に撮像装置４を取り付けることによって、遊戯者同士が重なることなく、詳細に遊技機40を操作している遊戯者を撮像して監視することができることが分かった。
【符号の説明】
【０１６０】
１，51，61，71，81，91：第１撮像素子
２，52，62，72，82，92：第２撮像素子
３，53，62：第３撮像素子
４，74，84：撮像装置
31，631，931：第１撮像装置
32，632，932：第２撮像装置
33，633：第３撮像装置
40：遊技機
41：遊技機群
【図１】
2011114602.tif 000003
【図２】
2011114602.tif 000004
【図３】
2011114602.tif 000005
【図４】
2011114602.tif 000006
【図５】
2011114602.tif 000007
【図６】
2011114602.tif 000008
【図７】
2011114602.tif 000009
【図８】
2011114602.tif 000010
【図９】
2011114602.tif 000011
【図１０】
2011114602.tif 000012
【図１１】
2011114602.tif 000013
【図１２】
2011114602.tif 000014